(57)【要約】【課題】防水や防埃性を確保しつつ、効率的な表示装置の換気を行うことができるスコアボードの換気装置を提供すること。【解決手段】スコアボードの表示装置で発生した熱を排熱するスコアボードの換気装置において、前記スコアボードの背面側に開閉自在に設けられ、開放されて前記スコアボード内部に配置された前記表示装置への換気を行うカバー１２０と、前記カバーの開閉を制御する制御部と、を備える。【選択図】図２
2019152839.tif 000002
【特許請求の範囲】
【請求項１】
スコアボードの表示装置で発生した熱を排熱するスコアボードの換気装置において、
前記スコアボードの背面側に開閉自在に設けられ、開放されて前記スコアボード内部に配置された前記表示装置への換気を行うカバーと、
前記カバーの開閉を制御する制御部と、を備える
ことを特徴とするスコアボードの換気装置。
【請求項２】
前記表示装置は、配列された複数の表示ユニットから構成され、
前記カバーは、各表示ユニットに対応するブロックごとに設けられる
ことを特徴とする請求項１に記載のスコアボードの換気装置。
【請求項３】
前記カバーは、水平方向または垂直方向のいずれかに開閉するよう設けられる
ことを特徴とする請求項１に記載のスコアボードの換気装置。
【請求項４】
前記制御部は、前記ブロックの単位で前記カバーの開閉を制御する
ことを特徴とする請求項２に記載のスコアボードの換気装置。
【請求項５】
前記制御部は、前記表示装置の温度、前記スコアボードの周囲の風速及び前記スコアボードの周囲の天候の少なくともいずれか一つに応じて、前記カバーの開閉を制御する
ことを特徴とする請求項１に記載のスコアボードの換気装置。
【請求項６】
スコアボードの表示装置で発生した熱を排熱する換気装置の制御方法をコンピュータに実行させるプログラムにおいて、
前記スコアボードの背面側に前記表示装置へ外気を取り込むカバーが開閉自在に備えられ、前記カバーには開閉するためのアクチュエータが取付けられ、
前記換気装置の制御方法は、
前記表示装置の温度及び前記スコアボードの周囲の風速に応じて、前記カバーを開閉するかを判断し、
前記判断に応じて、前記アクチュエータを制御して前記カバーを開閉する
ことを特徴とするプログラム。
【発明の詳細な説明】
【技術分野】
【０００１】
本発明は、屋外に設置される表示装置、特に屋外のスコアボードの換気装置に関する。
【背景技術】
【０００２】
屋外設置用の大型表示装置が盛んに開発されている。屋外設置用の大型表示装置の一つとして、スコアボードが普及している。屋外のスコアボードは、全体が太陽光にさらされるので、晴天時にはかなり温度が上昇する。特に、スコアボード内部の表示部は、雨水や埃浸入防止のため密閉された中に配置されるため、自身の発熱に太陽光による外部からの発熱も加わり、高温になるおそれがある。そこで、屋外用の表示装置では、内部冷却用の排気機構や換気機構が様々提案されている（例えば、特許文献１）。
【先行技術文献】
【特許文献】
【０００３】
【特許文献１】特開平１１-７２４８号公報
【発明の概要】
【発明が解決しようとする課題】
【０００４】
表示装置の付近に吸排気用の開口を設けると、台風などの時は雨水が入り、強風の時は砂埃が入ってしまい、表示装置の故障の原因となる。また、吸排気口に水の浸入を防ぐために防水カバーを付けると排気の効率が下がるという問題がでてしまう。
【０００５】
本願発明は、上記課題に鑑み、防水や防埃性を確保しつつ、効率的な表示装置の換気を行うことができるスコアボードの換気装置を提供することを目的とする。
【課題を解決するための手段】
【０００６】
上記目的を達成するために、スコアボードの表示装置で発生した熱を排熱するスコアボードの換気装置は、前記スコアボードの背面側に開閉自在に設けられ、開放されて前記スコアボード内部に配置された前記表示装置への換気を行うカバーと、前記カバーの開閉を制御する制御部と、を備える。
【発明の効果】
【０００７】
本発明によれば、防水や防埃性を確保しつつ、効率的な表示装置の換気を行うことができるスコアボードの換気装置を提供することができる。
【図面の簡単な説明】
【０００８】
【図１】スコアボード全体を前面から見た図である。
【図２】スコアボード全体を背面から見た図である。
【図３】カバーが開放された状態のスコアボードを示す図の１である。
【図４】カバーが開放された状態のスコアボードを示す図の２である。
【図５Ａ】１の表示ユニットの拡大図である。
【図５Ｂ】１の表示ユニットの拡大透視図である。
【図５Ｃ】１の表示ユニットを上から見た拡大透視図である。
【図６Ａ】ドアとカバーの構造を説明する背面図である。
【図６Ｂ】ドアとカバーの構造を説明する断面図である。
【図７】カバーの開閉が垂直方向のスコアボードを上から見た部分図１である。
【図８】カバーの開閉が垂直方向のスコアボードを上から見た部分図２である。
【図９】垂直方向に開閉するカバーの構造を説明する図である。
【図１０】換気装置と表示装置のブロック図である。
【図１１】換気装置におけるカバー開閉処理を説明するフローチャートである。
【図１２】カバーの開放状態を設定するテーブルである。
【図１３Ａ】カバーの開閉パターン１〜３を示す図である。
【図１３Ｂ】カバーの開閉パターン４を示す図である。
【発明を実施するための形態】
【０００９】
以下、図面に従って本発明の実施形態を説明する。本実施形態の換気装置が搭載される大型表示装置は、屋外の野球場、競技場に設置され、試合の選手名や得点、判定などを表示するスコアボードである。以下では、野球場に設置されるスコアボードを例に示す。
【００１０】
図１は、野球場に設置されるスコアボード１全体を前面から見た図である。スコアボード１は、チーム名や点数等を表示する表示装置３００が筐体１０に組み込まれたものである。
【００１１】
表示装置３００は、配列された複数の表示ユニット３１０から構成される。本例では、表示装置３００として、横１６個で上下２段の計３２個の表示ユニット３１０から構成される例を示す。表示ユニット３１０を、前面から見て左から順番に３１０−ｎ（ｎ：１〜１６）と表記する。また、表示ユニット３１０の末尾のｕは上段を示し、ｄは下段を示す。
【００１２】
左から３つの表示ユニット３１０（３１０−１〜３１０−３）が、文字表示用の表示ユニット３１０である。左から４番目以降の表示ユニット３１０（３１０−４〜３１０−１６）が、数字用の表示ユニット３１０である。なお、表示装置３００は、磁気反転方式あるいはＬＥＤ方式の表示装置である。
【００１３】
スコアボード１は、例えば、全長１８ｍ縦２ｍのサイズである。スコアボード１は、３本の支柱４００に支えられて、野球場に設置される。また、スコアボード１には、風速計５０と照度計５２が取付けられる。風速計５０は、スコアボード１の周囲の風速を計測する。照度計５２は、スコアボード１の周囲の照度（明るさ）を計測する。風速計５０と照度計５２については、図１０以降で詳述する。
【００１４】
図２は、スコアボード１全体を背面から見た図である。スコアボード１の背面は、表示ユニット３１０の単位で、区分けされる。表示ユニット３１０の単位をブロック１６０と呼ぶ。本例では、３２個のブロック１６０に分かれる。故障時に、表示ユニット３１０の単位で交換できるようにするためである。
【００１５】
そして、各表示ユニット３１０の背面には、内部点検や保守用にドア１１２が設けられる。ドア１１２は、防塵のため通常は閉じられ施錠される。図２の下段に、ドア１１２の拡大図を示す。拡大図に示すように、各ドア１１２には、換気用のカバー１２０が設けられる。
【００１６】
スコアボード１は、屋外に設けられることと、スコアボード１の外観が黒系の色で塗装されることによって、太陽光の赤外線をかなり吸収する。表示ユニット３１０に設けられる表示回路は、回路自体の発熱に更に太陽光による発熱が加わることで、かなり高温になり、熱によって誤動作したり破損してしまうおそれもある。これを防止するため、換気用のカバー１２０が設けられる。
【００１７】
カバー１２０を開けることで、ブロック１６０内部の表示ユニット３１０に外気が流入して、表示ユニット３１０で発生した熱が排熱される。
【００１８】
カバー１２０は、ドア１１２に開閉自在に設けられる。そして、カバー１２０は、所定の状態、例えば内部の表示ユニット３１０が所定温度以上になった場合に、開放される。カバー１２０の開閉制御については、図１０以降で詳述する。
【００１９】
本例では、ドア１枚につき、カバー１２０が上下２ヶ所ずつ４枚設けられる例を示す。ここでは、カバー１２０が、左右一対で水平方向に開閉される例を示す。また、カバー１２０の枚数は、４枚に限るものではない。なお、垂直方向に開閉する形式のカバー１２０は、図７〜図９で後述する。
【００２０】
また、スコアボード１の背面には、保守員用にフェンス６０と通路６２が設けられる。また、スコアボード１の背面には、コントロールボックス６４が設置される。コントロールボックス６４には、表示装置３００の全体を制御する制御基板や換気装置１００用の制御基板が収納される。
【００２１】
図３は、カバー１２０が開放された状態のスコアボード１の左部分（背面から見て）を上から見た図である。同様に、図４は、カバー１２０が開放された状態のスコアボード１の左部分を斜め横から見た図である。
【００２２】
図５Ａ〜図５Ｃは、カバー１２０が開放された状態の１つのブロック１６０を拡大して示す図である。図５Ａは、下から見上げる方向でブロック１６０を示す外観図である。図５Ｂは、図５Ａの透視図である。図５Ｃは、ブロック１６０を上から見た透視図である。なお、各ブロック１６０の形状や構成は、基本的に同一である。
【００２３】
表示ユニット３１０は、表示回路基板３２２と表示素子アレイ３２４から構成される（図５Ｂ、図５Ｃ参照）。表示回路基板３２２は、制御信号に応じた数字や文字等を表現するよう表示素子アレイ３２４を駆動するものである。表示素子アレイ３２４は、複数の表示素子（例えば、磁気反転素子）が所定の間隔で縦横配列されたものである。
【００２４】
そして、表示回路基板３２２は、主に発熱する箇所である。本例では、１つの表示ユニット３１０で表示回路基板３２２が上下２ヶ所に配置されるとする。表示回路基板３２２を効率的に冷却するために、カバー１２０は、表示回路基板３２２と同等な高さの位置に設けられる。すなわち、上下の表示回路基板３２２と同じ高さに、一対のカバー１２０がそれぞれ設けられる。なお、本例では、表示回路基板３２２が２台ある例を示すが、表示回路基板３２２が１台の場合には、カバー１２０も一対のみでもよい。
【００２５】
また、ドア１１２の内側には、各カバー１２０に対応した位置にダクト１１４が設けられる（図５Ｃ参照）。ダクト１１４は、外気Ｗが表示回路基板３２２に沿って流入・排出されるようガイドを形成する。図５Ａに、外気Ｗの流れ方向の一例を示す。向かって左側のカバー１２０から外気Ｗが内部に流入し、ダクト１１４によって表示回路基板３２２の周囲に導かれる。そして、外気Ｗは、表示回路基板３２２を通過して、右側のカバー１２０から、外部に排出される。ダクト１１４によって、外気Ｗを内部に流入させて、表示回路基板３２２に直接当てることができる。
【００２６】
図６Ａ及び図６Ｂは、ドア１１２とカバー１２０の構造を説明する図である。図６Ａは、スコアボード１の背面の一部である。ブロック１６０の４つ分を示している。いずれのブロック１６０でも、ドア１１２とカバー１２０の構造は共通であるとする。前述のように、ドア１１２には、左側のカバー１２０Ｌと右側のカバー１２０Ｒの一対のカバーが、上下に設けられる。カバー１２０Ｌとカバー１２０Ｒは、それぞれヒンジ１２２によって、開閉自在となる。
【００２７】
ドア１１２は、ドアヒンジ１１６によって、ブロック１６０に開閉自在に設けられる。図６Ａで、左上のブロック１６０は、ドア１１２が閉じた状態を示す。右上のブロック１６０は、ドア１１２が半分ほど開いた状態を示す。
【００２８】
ドア１１２は、手動で開閉される。また、ドア１１２には、不図示の施錠機構が設けられる。保守員は、ドア１１２を開けることで、ブロック１６０に配置された表示回路基板３２２と表示素子アレイ３２４を、保守・調整することができる。
【００２９】
図６Ｂは、図６Ａの２つのブロック１６０をＸＸで断面した断面図である。表示ユニット３１０の２つ分を示している。図６Ｂで、右側のブロック１６０は、閉じた状態のドア１１２を実線で示し、開放状態のドア１１２を破線で示す。
【００３０】
ドア１１２の内側には、２つのモータ１２４が設けられる。２つのモータ１２４は、それぞれカバー１２０Ｌとカバー１２０Ｒを開閉する駆動部（アクチュエータ）である。モータ１２４とカバー１２０は、不図示の伝達部によって結合される。モータ１２４は、ステップモータやＤＣモータである。また、駆動部は、モータ以外のソレノイドでも良い。
【００３１】
ドア１１２の内部には、表示回路基板３２２と表示素子アレイ３２４を収納する収納部１１０が形成される。また、ドア１１２の内側には、ダクト１１４が左右に設けられる。前述のように、ダクト１１４は、外気を表示回路基板３２２に効率的に当てるようにするものである。左右のカバー１２０Ｌとカバー１２０Ｒが開くことにより、外気Ｗが収納部１１０に流入して、表示回路基板３２２を通過して外部に流出する。
【００３２】
カバー１２０Ｌ―Ｈ（破線）とカバー１２０Ｒ―Ｈ（破線）は、カバー１２０の半開の位置を示す。カバー１２０Ｌ―Ｆ（破線）とカバー１２０Ｒ―Ｆ（破線）は、カバー１２０の全開の位置を示す。カバー１２０の半開や全開等の開放状態は、環境条件や表示回路基板３２２の温度に応じて、モータ１２４の回動で制御される。詳細は、後述する。なお、図６Ｂで示す外気Ｗの流れ方向は、一例である。
【００３３】
また、各表示ユニット３１０の隣接する収納部１１０の間には、ケーブル等をコントロールボックス６４まで通すための貫通路１１０ａが設けられる。貫通路１１０ａによって、各ブロック１６０間でも通気は可能となる。
【００３４】
以上、図２〜図６の説明では、カバー１２０が水平方向に開閉する例を示した。カバー１２０の開閉方向は、水平に限るものではなく、例えば、垂直でもよい。図７〜図９で、垂直方向に開閉するカバー１２０の例を説明する。
【００３５】
図７と図８は、垂直方向に開閉するカバー１２０を備えたスコアボード１を示す図である。図７と図８は、それぞれ図３と図４と同方向から見たスコアボード１である。いずれのカバー１２０も、下側が開くような構造である。下側に開くようにしたのでは、埃や雨の浸入をできるだけ防止するためである。
【００３６】
図９は、垂直方向に開閉するカバー１２０の構造を説明する図である。図９の右が、スコアボード１の１つのブロック１６０の背面図である。図９の左が、スコアボード１の１つのブロック１６０を直線ＹＹで断面したYY断面図である。なお、いずれのブロック１６０でも、カバー１２０等の構造は共通であるとする。図９では、カバー１２０を半開状態で示す。
【００３７】
図９の表示装置３００では、表示回路基板３２２が、２つ水平に並んで配置されているとする。このような場合には、表示回路基板３２２に対して、それぞれ上下方向から外気を通過させるようにすることで、２つの表示回路基板３２２をそれぞれ冷却することができる。
【００３８】
ドア１１２は、ドアヒンジ１１６で開閉自在にされる。ドア１１２に、カバー１２０が４個設けられる。
【００３９】
右側のカバー１２０Ｕとカバー１２０Ｄが、一対となる。右側のカバー１２０Ｕとカバー１２０Ｄが、右側の表示回路基板３２２に外気を送り込む。同様に、左側のカバー１２０Ｕとカバー１２０Ｄとが、一対となる。左側のカバー１２０Ｕとカバー１２０Ｄが、左側の表示回路基板３２２に外気を送り込む。また、各カバー１２０は、いずれも下向きを開放方向とする。カバー１２０を開いた状態で、雨や埃が、内部に浸入しないようにするためである。
【００４０】
各カバー１２０は、ヒンジ１２２によって、ドア１１２に対して、垂直方向に開閉自在にされる。ドア１１２の内側には、各カバー１２０を駆動するモータ１２４が取付けられる。各カバー１２０は、各モータ１２４の駆動によって、垂直方向に開閉される。カバー１２０Ｕ―Ｈとカバー１２０Ｄ―Ｈは、カバー１２０の半開の位置を示す。また、カバー１２０Ｕ―Ｆ（破線）とカバー１２０Ｄ―Ｆ（破線）は、カバー１２０の全開の位置を示す。カバー１２０の半開や全開等の開放状態は、環境条件や表示回路基板３２２の温度に応じて、モータ１２４の回動で制御される。
【００４１】
また、ドア１１２の内側には、ダクト１１４が設けられる。ダクト１１４によって、取込まれた外気Ｗが、表示回路基板３２２に導かれる（ＹＹ断面図参照）。なお、本例では、表示回路基板３２２が２つ横に並んだ例を示したが、本例を表示回路基板３２２が１つで、表示回路基板３２２が横長形状の場合に適用してもよい。
【００４２】
図１０は、換気装置１００と表示装置３００のブロック図である。なお、本ブロック図は、カバー１２０の開閉向きが水平・垂直いずれの場合にも適用される。換気装置１００は、風速計５０、照度計５２、カバー１２０、モータ１２４、制御部２００、通信部２１６、入出力ＩＦ（Interface）２１８、バス２２０、モータドライバ２２２及び温度センサ２２４を備える。風速計５０、照度計５２、カバー１２０、モータ１２４については、前述しているので、説明は省略する。
【００４３】
制御部２００は、換気装置１００全体を制御する制御部である。制御部２００は、環境条件に応じて、カバー１２０の開閉を制御する。制御部２００は、ＣＰＵ（Central Processing Unit）２１０、ＲＡＭ(Random Access Memory)２１２及びＲＯＭ（Read Only memory）２１４を有する。ＣＰＵ２１０は、ＲＯＭ２１４から制御プログラムを読込んで、読込んだ制御プログラムに従って、カバー１２０の開閉制御を実行する。
【００４４】
ＲＡＭ２１２は、一時記憶部で、制御プログラム等のデータを展開するためのワーキングエリアを提供する。ＲＡＭ２１２は、例えば、ＤＲＡＭ(Dynamic Random Access Memory)である。ＲＯＭ２１４は、制御プログラムや各種データ、テーブル等を記憶する。ＲＯＭ２１４は、例えば、フラッシュメモリである。
【００４５】
通信部２１６は、ネットワークＮＷを経由して、外部機器とのデータを送受信する。本例では、通信部２１６は、管理者の端末装置６００から送信される換気装置１００の起動開始や終了の指示を受信する。端末装置６００は、携帯端末やＰＣ（Personal Computer）である。これにより、遠隔地から換気装置１００をリモート操作することも可能になる。
【００４６】
入出力ＩＦ２１８は、接続される外部装置とのデータの送受信を制御する。入出力ＩＦ２１８には、風速計５０、照度計５２、モータドライバ２２２、温度センサ２２４が接続される。風速計５０からスコアボード１周囲の風速値が、照度計５２からスコアボード１周囲の照度が、それぞれ入出力ＩＦ２１８を経由して、ＣＰＵ２１０に入力される。ＣＰＵ２１０、ＲＡＭ２１２、ＲＯＭ２１４、通信部２１６及び入出力ＩＦ２１８は、バス２２０で接続される。
【００４７】
温度センサ２２４は、各表示ユニット３１０の表示回路基板３２２の温度を測定するセンサである。温度センサ２２４は、各表示回路基板３２２に直接配置されても良いし、各表示回路基板３２２の近傍に配置されてもよい。温度センサ２２４で測定された各表示回路基板３２２の温度が、入出力ＩＦ２１８を経由して、ＣＰＵ２１０に入力される。なお、表示ユニット３１０の違いによる表示回路基板３２２の温度差が小さい場合には、温度センサ２２４を全ての表示回路基板３２２に配置する必要はない。
【００４８】
モータドライバ２２２は、各カバー１２０を開閉するモータ１２４を、それぞれ駆動する回路である。モータドライバ２２２は、ＣＰＵ２１０からの指示に応じて、各モータ１２４を駆動して、カバー１２０の開閉を実行する。モータドライバ２２２は、ＣＰＵ２１０からの指示により、カバー１２０の開閉を一律ではなく個別に制御することも可能である。
【００４９】
なお、モータドライバ２２２は、モータ１２４がステップモータの場合には、オープンループ制御をしてもよい。また、モータドライバ２２２は、モータ１２４がＤＣモータの場合には、カバー１２０の開閉角度を検出するポジションセンサ（不図示）からの信号に応じて、制御してもよい。
【００５０】
表示装置３００は、表示制御部３２０、表示回路３２２ａ、表示素子アレイ３２４及び通信部３５０を有する。表示回路３２２ａは、表示回路基板３２２に実装される回路である。表示制御部３２０は、表示回路３２２ａを制御して、端末装置６００から指示された文字や数字を表示素子アレイ３２４に表示させる。表示制御部３２０は、例えば、制御部２００と同様に、ＣＰＵ、ＲＡＭ及びＲＯＭによって実現されるようにしてもよい。通信部３５０は、ネットワークＮＷを経由して、外部機器とのデータを送受信する。本例では、通信部３５０は、管理者の端末装置６００から送信される表示開始・終了指示、あるいはチーム名や得点情報を受信して、表示制御部３２０に通知する。
【００５１】
なお、換気装置１００の制御部２００と通信部２１６及び入出力ＩＦ２１８、表示装置３００の表示制御部３２０や通信部３５０は、コントロールボックス６４に収納される。
【００５２】
また、スコアボード１には、太陽光パネル５００と電源部５１０が付属される。電源部５１０は、太陽光パネル５００で発生した電力を入力し、所定の電圧に変換して、換気装置１００と表示装置３００に供給する。
【００５３】
図１１は、換気装置１００におけるカバー開閉処理を説明するフローチャートである。換気装置１００の制御部２００が、主に開閉処理を実行する。制御部２００は、表示回路基板３２２の温度が所定以上かを判断する（ステップＳ１０）。制御部２００は、温度センサ２２４によって各表示回路基板３２２の温度を計測する。そして、制御部２００は、各表示回路基板３２２の平均温度や各表示回路基板３２２の中での最大温度が、所定値を越えたかを判断する。例えば、制御部２００は、各表示回路基板３２２の温度をそれぞれ計測し、各表示回路基板３２２の平均温度が６０℃を越えた場合に、温度が所定以上と判断する。
【００５４】
制御部２００は、温度が所定以上であると判断すると（ステップＳ１０のＹｅｓ）、風速と照度を計測する（ステップＳ１２）。制御部２００は、風速計５０と照度計５２からの情報によって、風速と照度を計測する。制御部２００は、開閉条件テーブルを参照して、カバー開閉を決定する（ステップＳ１４）。
【００５５】
図１２は、開閉条件テーブルの一例である。図１２の開閉条件テーブルは、表示回路基板３２２の温度と風速と天候の３条件によって、開閉状態が設定される例である。なお、制御部２００は、照度によって天候を判断する。
【００５６】
例えば、風速が強の場合で、表示回路基板３２２の温度が通常（例えば、６０℃以下）の場合には、雨の如何に関わりなく、カバー１２０は閉と決定される。風速が強い場合には、風によってスコアボード１自体が冷却されるからである。ただし、風速が強い場合でも、表示回路基板３２２の温度が通常以上の高温になった場合（例えば、６０℃越え）には、雨天以外には、カバー１２０は半開とされる。雨天の場合には、雨の浸入を防止するため、高温でもカバー１２０は閉とされる。
【００５７】
また、風速が中の場合で、表示回路基板３２２の温度が通常の範囲でかつ雨天でない場合には、カバー１２０は半開とされる。雨天の場合には、閉とされる。一方、風速が中の場合に、表示回路基板３２２の温度が高温でありかつ雨天以外には、カバー１２０は全開とされる。雨天の場合には、カバー１２０は半開とされる。雨の浸入を減少させるためである。
【００５８】
また、風速が弱（無風を含む）の場合に、雨天でない場合には、カバー１２０は全開とされる。雨天の場合には、カバー１２０は半閉とされる。
【００５９】
フローチャートに戻る。制御部２００は、決定した開閉条件に基づき、カバー１２０を開閉する（ステップＳ１６）。また、制御部２００は、温度が所定以上でないと判断すると（ステップＳ１０のＮｏ）、カバー１２０を閉とする（ステップＳ１８）。
【００６０】
制御部２００は、端末装置６００から終了指示を受けたかを判断する（ステップＳ２０）。終了指示とは、スコアボード１の表示を終了する指示である。制御部２００は、終了指示を受けたと判断すると（ステップＳ２０のＹｅｓ）、開（又は半開）状態のカバー１２０があれば閉状態に戻して、処理を終了する。
【００６１】
制御部２００は、終了指示を受けていないと判断すると（ステップＳ２０のＮｏ）、所定時間が経過したかを判断する（ステップＳ２２）。所定時間とは、カバー１２０の開閉を更新するタイミングである。例えば、１５分である。制御部２００は、所定時間が経過するまで（ステップＳ２２のＮｏ）、ステップＳ２０とステップＳ２２を繰り返す。制御部２００は、所定時間が経過したと判断すると（ステップＳ２２のＹｅｓ）、ステップＳ１０に戻り、カバー１２０開閉の判断を繰り返す。
【００６２】
これまでは、全てのブロック１６０で、カバー１２０の開閉状態を同じにする例を説明した。しかし、全てのブロック１６０で、カバー１２０の開閉状態を同じにしなくても良い。図６で説明したように、隣接するブロック１６０では、内部で連通しているからである。また、前述のように、１つのブロック１６０で、４つのカバー１２０の開閉状態を異ならせてもよい。
【００６３】
図１３Ａ及び図１３Ｂで、カバー１２０の開閉状態のパターン例を示す。なお、図１３Ａ及び図１３Ｂでは、各カバー１２０の開閉状態を、パターン１の右横に示すマークで示す。
【００６４】
図１３Ａのパターン１は、１つおきのブロック１６０で、上下のカバー１２０を全開にした例である。図１３Ａのパターン２は、各ブロック１６０で、上側のカバー１２０を閉にし、下側のカバー１２０を開にした例である。
【００６５】
図１３Ａのパターン３は、上側のカバー１２０を半開にした各ブロック１６０と、下側のカバー１２０を全開にした各ブロック１６０と、交互にした例である。図１３Ｂのパターン４は、全ブロック１６０で、上側のカバー１２０を半開にし、下側のカバー１２０を全開にした例である。図１２の開閉条件テーブルで示した表示回路基板３２２の温度や風速と天候等の条件によって、ブロック１６０の位置に応じて、カバー１２０の開閉を種々制御してもよい。
【００６６】
また、表示回路基板３２２の温度に応じて、ブロック１６０のカバー１２０の開閉を制御してもよい。すなわち、表示回路基板３２２の温度の高いブロック１６０についてはカバー１２０を全開にし、温度の低いブロック１６０についてはカバー１２０を閉にしてもよい。
【００６７】
<効果>
本実施形態により奏される効果を列記する。
・天候や表示装置の内部の温度に応じて、換気用のカバー１２０が開閉されるので、雨や埃の浸入を防止しつつ、適格に換気を行うことができる。
・カバー１２０を表示回路基板３２２に対応する位置に配置し、かつダクト１１４を設けたので、外気を表示回路基板３２２へ導くことができる。これにより、効率良く表示回路基板３２２の冷却を行うことができる。
【００６８】
<変形例>
上記で説明した実施形態以外の例（変形例）を、以下に説明する。
・カバー１２０の開閉は、回動に限るものではなく、上下あるいは左右にスライドして開閉する構造であってもよい。
・カバー１２０の内側に、埃流入防止用にフィルタを取り付けてもよい。
・１つのブロック１６０に設けられるカバー１２０は、４枚に限るものではなく、１枚あるいは５枚以上でもよい。
・カバー１２０の開閉方向として、水平方向と垂直方向を組合せてもよい。すなわち、上側２枚のカバー１２０を水平方向の開閉とし、下側２枚のカバー１２０を垂直方向の開閉としてもよい。
・カバー１２０が背面のドア１１２に取付けられた例を示したが、これに限るものではない。カバー１２０が、スコアボード１の筐体１０の背面に直接取付けられてもよい。
・１の表示ユニット３１０を１のブロック１６０としたが、これに限るものではない。例えば、２つの表示ユニット３１０を、１つのブロック１６０にしてもよい。すなわち、２つの表示ユニットの背面に、１つのドアを設けて、このドアに４つのカバーを設けるようにしてもよい。
・表示回路基板３２２の温度が異常に高温になった場合には、故障の可能性もあるので、その箇所のみ表示を停止するようにしてもよい。すなわち、制御部２００が高温になった表示ユニット３１０を表示制御部３２０に通知して、表示制御部３２０が、その表示ユニット３１０の動作を停止するようにする。
・スコアボード１に更に雨量計を備え、所定以上の雨量が検出された場合には、風速等に関わらず、カバー１２０を閉にするよう制御してもよい。
・また、換気装置１００の適用形態は、スコアボードで限られるものではなく、屋外表示装置、例えば、高速道の道路表示システムやビルの広告塔等へ適用してもよい。
【００６９】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用ができることはもちろんである。
【符号の説明】
【００７０】
１        スコアボード
１０      筐体
５０      風速計
５２      照度計
６０      フェンス
６２      通路
６４      コントロールボックス
１００    換気装置
１１０    収納部
１１０ａ  貫通路
１１２    ドア
１１４    ダクト
１１６    ドアヒンジ
１２０    カバー
１２２    ヒンジ
１２４    モータ
１６０    ブロック
２００    制御部
２１０    ＣＰＵ
２１２    ＲＡＭ
２１４    ＲＯＭ
２１６    通信部
２１８    入出力ＩＦ
２２０    バス
２２２    モータドライバ
２２４    温度センサ
３００    表示装置
３１０    表示ユニット
３２０    表示制御部
３２２    表示回路基板
３２２ａ  表示回路
３２４    表示素子アレイ
３５０    通信部
４００    支柱
５００    太陽光パネル
５１０    電源部
６００    端末装置
【図１】
2019152839.tif 000003
【図２】
2019152839.tif 000004
【図３】
2019152839.tif 000005
【図４】
2019152839.tif 000006
【図５Ａ】
2019152839.tif 000007
【図５Ｂ】
2019152839.tif 000008
【図５Ｃ】
2019152839.tif 000009
【図６Ａ】
2019152839.tif 000010
【図６Ｂ】
2019152839.tif 000011
【図７】
2019152839.tif 000012
【図８】
2019152839.tif 000013
【図９】
2019152839.tif 000014
【図１０】
2019152839.tif 000015
【図１１】
2019152839.tif 000016
【図１２】
2019152839.tif 000017
【図１３Ａ】
2019152839.tif 000018
【図１３Ｂ】
2019152839.tif 000019